(57)【特許請求の範囲】
【請求項１】
クロム鉄などの合金鉄を製造し、所望のステンレス鋼の製造用に該合金鉄を処理する手段を含むステンレス鋼の製造方法において、該方法は、
合金鉄製造装置から得られた熔融物の少なくとも一部を最初に合金鉄処理装置に移送し、該処理装置にて、該合金鉄の成分をステンレス鋼の製造用に適するように調整し、該合金鉄に含まれる珪素および炭素の燃焼熱を利用して、前記合金鉄の前精練を行ない、
該合金鉄を、熔融状態のまま、電気炉から得られる熔融物とともに移送用取鍋に移送し、
該移送用取鍋における熔融物をステンレス鋼製造装置に移し、
該ステンレス鋼製造装置における熔融ステンレス鋼を注出用取鍋に注ぎ、取鍋炉に移送し、さらに連続鋳造機に移送する
ことを特徴とするステンレス鋼の製造方法。
【請求項２】
請求項１に記載の製造方法において、前記合金鉄処理装置において、鋼スクラップを合金鉄の前記成分調整用に熔融することを特徴とするステンレス鋼の製造方法。
【請求項３】
請求項１または２に記載の製造方法において、前記合金鉄処理装置において、前記合金鉄製造装置から得られたクロム鉄を処理することを特徴とするステンレス鋼の製造方法。
【請求項４】
請求項３に記載の製造方法において、前記合金鉄処理装置において、クロム鉄のクロム含有量が減少することを特徴とするステンレス鋼の製造方法。
【請求項５】
請求項１に記載の方法を実施する装置において、前記合金鉄製造装置と前記ステンレス鋼製造装置の間には、前記合金鉄の成分調整用に熔融合金鉄処理装置が設置されていることを特徴とするステンレス鋼の製造装置。
【請求項６】
請求項５に記載の装置において、前記合金鉄処理装置は酸化送風に適した転炉であることを特徴とするステンレス鋼の製造装置。
【発明の詳細な説明】
【０００１】
【産業上の利用分野】
本発明は、処理用原料が合金鉄、有利にはクロム鉄である場合のステンレス鋼の製造用の方法および装置に関するものである。
【０００２】
【従来の技術】
主成分として、ステンレス鋼は鉄およびクロムを含有している。この種の鉄−クロム合金、すなわちクロム鉄を製造するためには、酸化クロムに加えて酸化鉄を相当の量含有する酸化クロム鉄鉱を使用できる。鉄およびクロムの合金を作るために、特開昭５７−２８１３  号に記載されているように、熔鉱炉で生産された銑鉄も使用でき、別の転炉でこの銑鉄にクロムを加えて合金にする。しかも、特開昭４９−６７８１１号によれば、鉄とクロムの合金、すなわちクロム鉄を作るために、鉄とクロムの鉱石を特定の比率で使用でき、この合金を次にコークスおよび鋼スクラップの存在下で熔解してクロム鉄にする。
【０００３】
鉄およびクロムは別として、ステンレス鋼は、必要とする特性によっては、たとえば、ニッケルを含有する。これらの合金成分は、ステンレス鋼自体の製造に先立って、たとえばアーク炉で行なわれる前精練でクロム鉄に加えられる。その後、熔解されたステンレス鋼の親合金は、たとえば、ステンレス鋼プロセスで一般に使用されるＡＯＤ  転炉に移送される。その転炉では、酸素およびアルゴンを吹きつけて、炭素および珪素などの合金用の追加成分を所望のレベルに調整する。
【０００４】
ステンレス鋼の製造には、膨大なエネルギー、とくに電力が必要である。理由は、ステンレス鋼に必要なクロム鉄の製造は、主にアーク炉などの電気炉内で行われるからである。電気炉で熔解してから、通常、クロム鉄を冷却しなければならない。その理由は、ステンレス鋼の製造に使用されるＡＯＤ  転炉は、クロム鉄の処理工程から隔れた場所にあることが多く、熔融クロム鉄の移送は不可能だからである。クロム鉄プロセスとＡＯＤ  転炉が互いに近くに位置している場合でさえも、冷却は必要である。理由は、クロム鉄の熔解期間およびＡＯＤ  転炉処理はその時間長が本質的に異なるためである。
【０００５】
【発明が解決しようとする課題】
本発明の目的は、従来技術のいくつかの欠点を除去し、ステンレス鋼に精練する前の合金鉄の冷却プロセスを本質的にすべて取り除き、エネルギー効率のよい改善されたステンレス鋼の製造方法および装置を完成することにある。本発明の本質的に新規な特徴事項は、特許請求の範囲から明らかである。
【０００６】
【課題を解決するための手段】
本発明によると、ステンレス鋼の製造に使用される合金鉄の製造装置から得られる熔融物を合金鉄の処理装置、すなわち前精練工程に移送し、合金鉄の成分を調整して、ステンレス鋼自体への最終的な精練に有利なようにする。合金鉄の成分に応じて、合金鉄に含まれる組成成分は、前精練工程で有利に増加または減少する。この組成成分の割合は、前精練工程で鋼スクラップ、たとえば炭素鋼スクラップおよび／またはステンレス鋼スクラップを供給することによって、様々に変更が可能である。
【０００７】
本発明によれば、合金鉄の製造工程から得られた合金鉄は、熔融状態のまま、合金鉄処理装置として機能する転炉に移送され、そこではまた、この合金鉄に加えて鋼スクラップも供給される。鋼スクラップによって、合金鉄の成分がステンレス鋼の製造に有利なように調整される。合金鉄がクロム鉄の場合、その合金のクロム含有量は鋼スクラップの投入によって減少する。転炉に酸素を吹き込むことによって、熔融合金鉄の珪素および炭素の含有量は減少する。珪素および炭素の燃焼により発生する熱は、転炉に供給された鋼スクラップを熔解するのに有利に利用可能である。転炉からは、この希釈された合金鉄を、熔融状態のまま、電気炉から得られた熔融物とともに移送用取鍋に移送する。その電気炉熔融物は、合金でないか、またはステンレス鋼に必要な成分と合金になっている。移送用取鍋からは、この熔融物をさらに、ステンレス鋼製造装置、たとえばＡＯＤ  転炉に移す。
【０００８】
【作用】
本発明の方法および装置を使用すると、合金鉄の製造およびステンレス鋼の製造は有利な型式で組み合わされる。最終的にステンレス鋼に精練する前に、別の転炉で熔融合金鉄を処理することによって、ステンレス鋼への精練に必要な時間もまた短縮可能である。最終精練に必要な時間の短縮は、熔融物の珪素および炭素の含有量が合金鉄処理装置においてすでに減少していることによる。したがって、冷却材料として機能するスクラップの必要性は、最終精練では本質的に低下している。スクラップの比率が減少した結果、最終精練において双方とも少なくとも部分的に除去される炭素および珪素の含有量は、本質的に低下している。
【０００９】
【実施例】
本発明を添付図面を参照して詳細に説明する。この図面は本発明の好ましい実施例の概略を示す。
【００１０】
図１によると、ステンレス鋼の製造に使用されるクロム鉄は、第１のアーク炉１で熔解される。このアーク炉から、熔融クロム鉄は本発明による前精練工程に移送され、この工程はクロム鉄転炉２で行なわれる。クロム鉄転炉２にはまた、鋼スクラップおよび／または合金鋼スクラップおよびフラックスも供給される。転炉２では、精練送風をある酸素含有ガスで行なって、熔融クロム鉄に含まれ精練中に一部が除去される炭素および珪素の発生する化学エネルギーによって、この転炉に供給されたスクラップが熔解するようにする。
【００１１】
クロム鉄転炉２からは、その熔融物と含有クロムに熔け込んだクロム鉄とを移送用取鍋３に移し、そこで第２のアーク炉４から供給される合金を待つ。第２のアーク炉４では、鋼スクラップに加えてまた、ステンレス鋼の製造に使用されるニッケル、たとえばニッケル鉄または陰極ニッケル等の他の物質も原料として熔融される。第２のアーク炉４からの熔融物は、移送用取鍋３に移され、取鍋３では、希釈された含有クロムを有するクロム鉄とともに、ステンレス鋼用の親合金を形成する。
【００１２】
移送用取鍋３からは、親合金がＡＯＤ  転炉５に供給される。ＡＯＤ  転炉５には、この親合金の他に、フラックスならびに鋼スクラップおよび合金成分原料が冷却剤として投入される。ＡＯＤ  転炉での精練送風は酸素および不活性ガス、すなわちアルゴンで行なわれる。この酸素によって、熔融物中の炭素含有量は所望のレベルに調整される。酸素送風中、熔融物中の硫黄もスラグとして除去される。アルゴンは、酸化し易い合金成分の酸化を防ぎ、熔融物を混合するために使用される。ＡＯＤ  転炉５からは、熔融ステンレス鋼が注出用取鍋６に注がれ、取鍋炉７に移送され、さらに地金製造用に連続鋳造機８に移送される。
【００１３】
［例］
本発明によると、第１のアーク炉から得られ、５２重量パーセントのクロムと７重量パーセントの炭素と４重量パーセントの珪素とを含有する６８０  ｋｇの熔融クロム鉄をクロム鉄転炉に供給した。これに加えて、そのクロム鉄転炉には、生産すべき希釈されたクロム鉄のトン当り、０．７  重量パーセントの炭素を含有する３２０ｋｇ  の炭素鋼スクラップをフラックスとともに供給した。精練送風は、酸素含有量の多い空気で行ない、クロム鉄に含まれる炭素および珪素の燃焼により発生するエネルギーによって、クロム鉄転炉に投入された炭素鋼スクラップが熔融するようにした。このようにして、クロム鉄に含まれる珪素は全量スラグとして回収した。炭素は大部分ガス状態で排出された。そうして、クロム鉄転炉から得られた含有クロムのなかに熔け込んでいるクロム鉄１トンは、３５重量パーセントのクロムと２．５  重量パーセントの炭素を含有していた。
【００１４】
この希釈されたクロム鉄を移送用取鍋に移す。その取鍋には、第２のアーク炉から、実質的に同重量のニッケル含有熔融物、すなわち１３重量パーセントのニッケルと若干のクロムとを含むニッケル含有熔融物を注入した。こうして移送用取鍋の中では、１９重量パーセントのクロムと６．６  重量パーセントのニッケルと１．５  重量パーセントの炭素とを含むステンレス鋼用の親合金が生成された。
【００１５】
この親合金をさらにＡＯＤ  転炉５に注入し、残留炭素を燃焼した。その転炉熔融物の冷却には、鋼スクラップおよび合金成分を使用して、ＡＯＤ  転炉から、１８／８ステンレス鋼（１８重量パーセントのクロムと８重量パーセントのニッケル）に適した熔融金属が得られた。
【００１６】
【発明の効果】
本発明の方法によりステンレス鋼を製造する場合、精練期間の短縮によって、たとえば２４時間以内の精練期間の回数は増加可能である。その結果、ステンレス鋼の生産は有利に増加している。しかも、本方法のエネルギー効率が改善される。
しかも、本発明の方法および装置を使用する場合、合金鉄製造工程における製品処理費用もまた削減可能である。正しく分割された合金鉄の量は減少可能である。それは、すべての合金鉄を本質的に熔融物として扱うことができるからである。熔融合金鉄の輸送コストもまた低下する。理由は、別個の中間的保存過程が不要となるためである。製造された合金鉄の実質的に全量を熔融状態のまま前精練工程に移送可能となることは、本発明の方法の有利な点である。
【図面の簡単な説明】
【図１】本発明の好ましい実施例の概略を示す図である。
【符号の説明】
１  第１のアーク炉
２  クロム鉄転炉
３  移送用取鍋
４  第２のアーク炉
５  ＡＯＤ  転炉
６  注出用取鍋
７  取鍋炉
８  連続鋳造機
【図１】
0003563463.tif 000002